【手続補正書】
【提出日】平成19年1月12日(2007.1.12)
【手続補正１】
【補正対象書類名】明細書
【補正対象項目名】特許請求の範囲
【補正方法】変更
【補正の内容】
【特許請求の範囲】
【請求項１】  組換え細胞であって、
該組換え細胞中に導入されたレポーター配列であって、レポーター遺伝子を含有し、該レポーター遺伝子の発現がHIVウイルスに特異的なタンパク質によって制御され、該タンパク質が該HIVウイルスで前記組換え細胞が感染されると、HIVウイルスのゲノムから発現されるレポーター配列を含む前記組換え細胞であって、
細胞分裂ができ、かつHIVウイルスによる組換え細胞の増殖性感染を促進するCD4レセプター及び１つ以上の付加的な細胞表面レセプターを発現でき、かつ
前記組換え細胞に感染したHIVウイルスが、複製し、かつ前記組換え細胞の培養物中の非感染細胞に感染できることを特徴とする、組換え細胞。
【請求項２】  第１及び第２組換え細胞株を含むキットであって、各組換え細胞株が、
前記組換え細胞に導入されたレポーター配列であって、前記レポーター配列がレポーター遺伝子を含み、該レポーター遺伝子の発現が、前記組換え細胞がHIVウイルスに感染した際にHIVウイルスのゲノムから発現される、HIVウイルスに特異的なタンパク質によって制御されるレポーター配列を含む前記組換え細胞株であって、
細胞分裂ができ、かつHIVウイルスによる組換え細胞の増殖性感染を促進するCD4レセプター及び１つ以上の付加的な細胞表面レセプターを発現でき、
前記組換え細胞に感染したHIVウイルスが、複製し、かつ前記組換え細胞の培養物中の非感染細胞に感染できる組換え細胞株であって、
前記第１組換え細胞株が発現する１つ以上の付加的な細胞表面レセプターが、HIVの系の第１群に対して、第１組換え細胞株を許容し、及び第２組換え細胞株が発現する１つ以上の付加的な細胞レセプターが、HIVの系の第２の、異なる群に対して許容する、ことを特徴とするキット。
【請求項３】  サンプル中のHIVウイルスの存在を検出する方法であって、
（ａ）細胞分裂が可能であり、（ｂ）HIVウイルスが感染できるのに必要な、CD4レセプター及び１つ以上の付加的な細胞表面レセプターを発現し、（ｃ）HIVウイルスを複製及び前記細胞培養物の非感染細胞に感染させることができ、かつ（ｄ）該組換え細胞中に導入されたレポーター配列であって、レポーター遺伝子を含有し、該レポーター遺伝子の発現がHIVウイルスに特異的なタンパク質によって制御され、該タンパク質が該HIVウイルスで前記組換え細胞が感染されると、HIVウイルスのゲノムから発現されるレポーター配列を含む、組換え細胞の培養物を取得する工程、
前記細胞培養物を、サンプル中のHIVウイルスの存在を分析すべきサンプルに接触させる工程、及び
前記組換え細胞培養物の細胞の前記レポーター遺伝子の発現レベルの変化を検出する工程、
を含むことを特徴とする、方法。
【請求項４】  サンプル中のHIVウイルスの異なる株の存在を検出する方法であって、
（ａ）細胞分裂が可能であり、（ｂ）CD4レセプター及びHIVの系の第１群に対して第１細胞培養物を許容するが、HIVの系の第２の、異なる群に対して第１細胞培養物を許容しない、１つ以上の付加的な細胞表面レセプターを発現し、（ｃ）HIVウイルスを複製及び細胞培養物の非感染細胞に感染させることができ、かつ（ｄ）該組換え細胞中に導入されたレポーター配列であって、レポーター遺伝子を含有し、該レポーター遺伝子の発現がHIVウイルスに特異的なタンパク質によって制御され、該タンパク質が該HIVウイルスで前記組換え細胞が感染されると、HIVウイルスのゲノムから発現されるレポーター配列含む、組換え細胞の第１培養物を取得する工程、
（ａ）細胞分裂が可能であり、（ｂ）CD4レセプター及びHIVの系の第２群に対して第２培養物を許容するが、HIVの系の第１群に対して第２細胞培養物を許容しない、１つ以上の付加的な細胞表面レセプターを発現し、（ｃ）HIVウイルスを複製及び細胞の培養物の非感染細胞に感染させることができ、かつ（ｄ）該組換え細胞中に導入されたレポーター配列であって、レポーター遺伝子を含有し、該レポーター遺伝子の発現がHIVウイルスに特異的なタンパク質によって制御され、該タンパク質が該HIVウイルスで前記組換え細胞が感染されると、HIVウイルスのゲノムから発現されるレポーター配列を含む、組換え細胞の第２培養物を取得する工程、
HIVウイルスの異なる系の存在を分析すべきサンプルに第１及び第２細胞培養物を接触させる工程、
第１細胞培養物の細胞のレポーター遺伝子の発現レベルの変化を検出する工程、
第２細胞培養物の細胞のレポーター遺伝子の発現レベルの変化を検出する工程、及び
レポーター遺伝子の発現レベルの変化が第１又は第２細胞培養物に起こるかどうかに基づいて、系の第１又は第２群とを区別する工程、
を含むことを特徴とする、方法。
【請求項５】  サンプル中のHIV薬剤耐性を検出する方法であって、
（ａ）細胞分裂が可能であり、（ｂ）HIVウイルスが感染できるのに必要な、CD4レセプター及び１つ以上の付加的な細胞表面レセプターを発現し、（ｃ）HIVウイルスを複製及び前記細胞培養物の非感染細胞に感染させることができ、かつ（ｄ）該組換え細胞中に導入されたレポーター配列であって、レポーター遺伝子を含有し、該レポーター遺伝子の発現がHIVウイルスに特異的なタンパク質によって制御され、該タンパク質が該HIVウイルスで前記組換え細胞が感染されると、HIVウイルスのゲノムから発現されるレポーター配列を含む、組換え細胞の培養物を取得する工程、
HIVウイルスを含むサンプルに細胞培養物を接触させる工程、
サンプルに細胞培養物を接触させる前又は後のいずれかで、細胞培養物に１種以上の抗HIV薬剤を添加する工程、かつ 
細胞のレポーター遺伝子の発現レベルの変化を検出する工程、
を含むことを特徴とする、方法。
【請求項６】  HIVウイルスの１つ以上の系に感染されていることが知られている患者を取り上げ、かつ１種以上の抗HIV薬剤のどんな組合せが患者を治療するのに効果的かを決定する方法であって、
複数の細胞培養物を取得する工程であって、（ａ）細胞分裂が可能であり、（ｂ）HIVウイルスが感染できるのに必要な、CD4レセプター及び１つ以上の付加的な細胞表面レセプターを発現し、（ｃ）HIVウイルスを複製及び前記細胞培養物の非感染細胞に感染させることができ、かつ（ｄ）該組換え細胞中に導入されたレポーター配列であって、レポーター遺伝子を含有し、該レポーター遺伝子の発現がHIVウイルスに特異的なタンパク質によって制御され、該タンパク質が該HIVウイルスで前記組換え細胞が感染されると、HIVウイルスのゲノムから発現されるレポーター配列を含む、組換え細胞を各培養物が含む工程、
HIVウイルスを含むサンプルに細胞培養物を接触させる工程、
前記サンプルに細胞培養物を接触させる前又は後のいずれかに、各細胞培養物に１種以上の抗HIV薬剤の異なる組を添加する工程、及び
複数の細胞培養物のレポーター遺伝子の発現を比較する工程、
を含むことを特徴とする、方法。
【請求項７】  抗HIV活性の組成物をスクリーニングする方法であって、
（ａ）細胞分裂が可能であり、（ｂ）HIVウイルスが感染できるのに必要な、CD4レセプター及び１つ以上の付加的な細胞表面レセプターを発現し、（ｃ）HIVウイルスを複製及び前記細胞培養物の非感染細胞に感染させることができ、かつ（ｄ）該組換え細胞中に導入されたレポーター配列であって、レポーター遺伝子を含有し、該レポーター遺伝子の発現がHIVウイルスに特異的なタンパク質によって制御され、該タンパク質が該HIVウイルスで前記組換え細胞が感染されると、HIVウイルスのゲノムから発現されるレポーター配列を含む、組換え細胞の培養物を取得する工程、
HIVウイルスに前記細胞培養物を接触させる工程、
HIVウイルスに前記細胞培養物を接触させる前又は後のいずれかに、前記細胞培養物に、抗HIV活性が未知である１種以上の薬剤を添加する工程、かつ
培養物の細胞の前記レポーター遺伝子の発現レベルの変化を検出する工程、
を含むことを特徴とする、方法。